(57)【特許請求の範囲】
【請求項１】
車室内に設置され内部に収納空間が形成された収納部と、前記収納部に回動自在に支持され、且つ伸縮自在な支持脚と、前記支持脚に支持された表示部材とを有し、
前記収納部は、少なくとも上面と左右両側面と背面とを有し、前記背面と逆側に開口部が形成され、前記支持脚の基部が、前記側面の外側に回動自在に支持されており、
前記支持脚を収縮させることで、前記表示部材が前記開口部から前記収納空間に収納され、前記支持脚を伸ばすことで、前記表示部材が前記開口部から収納部の外側へ突出し、且つこの突出状態から前記支持脚を回動させることで、前記表示部材が前記開口部から離れて目視可能な姿勢となることを特徴とする車載用表示装置。
【請求項２】
前記収納部は自動車のアームレストにて開口部を車両前方に向けて設置され、前記支持脚を回動させ、支持脚を立ち上がらせることで、前記表示部材が後部座席から目視可能な姿勢となる請求項１記載の車載用表示装置。
【請求項３】
前記表示部材は長方形であり、前記表示部材の短辺を前記開口部に向けて前記収納空間に収納可能であり、前記表示部材を前記収納空間の外側へ突出させたときに、前記表示部材を画面と交叉する軸に対して９０度回動させることが可能である請求項１または２記載の車載用表示装置。
【請求項４】
前記表示部材への配線が、前記支持脚に沿って前記収納部内に導かれている請求項１ないし３のいずれかに記載の車載用表示装置。
【請求項５】
前記支持脚を回動させて、表示部材が目視可能な姿勢となったときに、前記表示部材への電源をＯＮに切換える切換え手段が設けられている請求項１ないし４のいずれかに記載の車載用表示装置。
【発明の詳細な説明】
【０００１】
【発明の属する技術分野】
本発明は、液晶ディスプレイなどの表示画面を備えた車載用表示装置に係り、特にコンパクトに収納でき、且つ目視可能な姿勢に容易に設置できる車載用表示装置に関する。
【０００２】
【従来の技術】
最近では、自動車内に設置される車載用表示装置が使用されている。車載用表示装置はカラー液晶ディスプレイなどの平面型ディスプレイを備えたものであり、ＴＶ画像、ビデオ画像、ゲーム画像、ナビゲーション画像などを表示可能としている。
【０００３】
この種の車載用表示装置は、自動車の前席の前方または前席のヘッドレストの後部や、車室内の天井部に設置されることが多い。天井部に設置されるものでは、非使用時は天井面に沿う姿勢とし、使用するときに下方へ回動させ、後部座席から画面を目視できるようにしたものが一般的である。
【０００４】
【発明が解決しようとする課題】
しかし、前記のように車載用表示装置を前席の前方に設置したものでは、車両の前方視野を妨げるおそれがある。また前席の前方やヘッドレストの後部に設置したものでは、非使用時においても表示部材が常に露出しているために、表示画面が汚れやすく、乗員の安全上にも問題がある。
【０００５】
さらに、天井に設置したものでは、車両の天井部の構造として、車載用表示装置を設置可能にしておくことが必要であり、車載用表示装置を取付けるために車体そのものを改造する必要がある。また電源線やアンテナ線を天井に配線することが必要であり、車内配線が煩雑であった。
【０００６】
本発明は上記従来の課題を解決するものであり、表示部材を露出しないように完全に収納可能であり、また配線も容易な車載用表示装置を提供することを目的としている。
【０００７】
また例えばアームレストに設けたときに、表示部材を収納状態にすることによってアームレストを通常通り使用できるようにした車載用表示装置を提供することを目的としている。
【０００８】
【課題を解決するための手段】
本発明は、車室内に設置され内部に収納空間が形成された収納部と、前記収納部に回動自在に支持され、且つ伸縮自在な支持脚と、前記支持脚に支持された表示部材とを有し、
前記収納部は、少なくとも上面と左右両側面と背面とを有し、前記背面と逆側に開口部が形成され、前記支持脚の基部が、前記側面の外側に回動自在に支持されており、
前記支持脚を収縮させることで、前記表示部材が前記開口部から前記収納空間に収納され、前記支持脚を伸ばすことで、前記表示部材が前記開口部から収納部の外側へ突出し、且つこの突出状態から前記支持脚を回動させることで、前記表示部材が前記開口部から離れて目視可能な姿勢となることを特徴とするものである。
【０００９】
上記車載用表示装置では、表示部材が伸縮自在な支持脚に支持されているため、この支持脚を収縮することにより表示部材の全体またはほぼ全体を収納空間内に収納することができる。よって非使用時には表示部材が車室内に露出せず、車室内を広く使用できるとともに、乗員の安全性を確保できる。
【００１０】
また使用時には、支持脚を伸ばして回動させることで、表示部材を目視可能な高さおよび位置に設置でき、表示部材の画面を見やすくなる。
【００１１】
なお、前記支持脚は一対設けられ、この支持脚が収納部の両側部に回動自在に設けられているものであってもよいし、あるいは支持脚が１個のみ設けられ、１個の支持脚が収納部の一方の側部にのみ回動自在に設けられているものであってもよい。
【００１２】
例えば、前記収納部は自動車のアームレストにて開口部を車両前方に向けて設置され、前記支持脚を回動させ、支持脚を立ち上がらせることで、前記表示部材が後部座席から目視可能な姿勢となる。
【００１３】
上記手段では、表示部材を収納しているときはアームレストを通常通り使用することができる。また使用時は表示部材を後部座席から見やすい位置に設置することができる。
【００１４】
例えば、前記表示部材は長方形であり、前記表示部材の短辺を前記開口部に向けて前記収納空間に収納可能であり、前記表示部材を前記収納空間の外側へ突出させたときに、前記表示部材を画面と交叉する軸に対して９０度回動させることが可能である。
【００１５】
このように構成すると、表示部材の短辺を収納空間に向けて挿入することで収納でき、使用時には長辺を上向きにして通常のワイド画面として目視できる。
【００１６】
また、前記表示部材への配線が、前記支持脚に沿って前記収納部内に導かれていることが好ましく、さらに配線が支持脚の内部に収められていることが好ましい。
【００１７】
このように構成すると、配線が外部に出なくなり、また支持脚を伸縮させても配線が外部でたるむようなことがない。
【００１８】
さらに、前記支持脚を回動させて、表示部材が目視可能な姿勢となったときに、前記表示部材への電源をＯＮに切換える切換え手段が設けられていると、表示部材を目視可能な姿勢に設定したときに、電源をＯＮにして直ちに目視することが可能になる。
【００１９】
【発明の実施の形態】
図１ないし図３は、本発明の車載用表示装置の一実施の形態を示すものであり、表示部材が収納されている状態から目視可能な姿勢に至るまでを状態別に示した斜視図、図４は表示部材の支持状態を示す分解斜視図、図５は図１のＶ−Ｖ線の断面図、図６は図５のＶＩ−ＶＩ線の断面図である。
【００２０】
図１ないし図３には自動車の前席の運転席と助手席との間に位置するアームレスト１が示されている。また図１ないし図３では、Ｘ１方向が車両の前方、Ｘ２方向が車両の後方である。
【００２１】
本発明の車載用表示装置１０は前記アームレスト１の上面に設置されている。この車載用表示装置１０には収納部１１が設けられている。この収納部１１は前後（Ｘ方向）にほぼ長方形の箱体であり、少なくともその上面１１ａ、左右両側面１１ｂ，１１ｂ、および背面１１ｃにはクッション材が取付けられており、図１に示すように表示部材が収納されている状態では、アームレストの一部として使用可能である。
【００２２】
図３と図５に示すように、前記収納部１１の内部には前後方向に長いほぼ長方形状の収納空間１２が形成されており、また車両前方には前記収納空間１２と通じる開口部１３が形成されている。また収納部１１の左右両側面１１ｂ，１１ｂの前端には後方へ切り欠かれた切欠部１４，１４が形成されている。
【００２３】
前記収納部１１の左右両側面１１ｂ，１１ｂの外側には支持脚１５，１５が設けられている。この支持脚１５，１５は長さ方向へ伸縮自在である。この実施の形態の支持脚１５は、回動脚１６とこの回動脚１６に対して前方へ進退可能な進退脚１７とを有する２段伸縮構造である。ただし３段あるいはそれ以上の段数の伸縮脚であってもよい。
【００２４】
図５に示すように、回動脚１６は内部が空洞であり、その先端の開口部の周囲には内側へ曲げられたストッパ１６ａが設けられている。前記進退脚１７は前記回動脚１６内を軸方向へ摺動自在に挿入されている。進退脚１７の基端には、フランジ状の係止部１７ａが外側に向けて設けられている。進退脚１７を前方に伸ばすと、前記係止部１７ａがストッパ１６ａに当たった時点で、支持脚１５の伸びの限界になる。
【００２５】
回動脚１６の内部の先端には板ばねによるロック手段１８が設けられており、進退脚１７が進出すると、前記係止部１７ａが前記ロック手段１８に弾性的に保持されて、支持脚１５が伸びた状態で軽ロックされる。また進退脚１７を回動脚１６内に押し込むと、前記ロック手段１８によるロックが強制的に外れ、進退脚１７が回動脚１６内に収納されて支持脚１５は最短寸法になる。
【００２６】
図５に示すように、前記回動脚１６の基端部には内側へ突出する軸２１が固定されている。この軸２１には軸心方向に穴２１ａが貫通して形成されている。また、前記収納部１１の左右両側面１１ｂ，１１ｂには軸受２２が固定されており、前記軸２１が前記軸受２２に回動自在に支持されている。また前記軸２１には、軸受２２の内側において抜け止めリング２３が嵌着されて、軸２１の抜け止めがなされている。
【００２７】
前記軸２１が軸受２２内を回動することにより、支持脚１５が図１に示す水平姿勢と図３に示す垂直姿勢との間で回動可能となる。また支持脚１５が図１に示す水平姿勢のときと、図３に示す垂直姿勢のときとで、支持脚１５を弾性的にロックする図示しないロック手段が設けられている。
【００２８】
図４に示すように、前記進退脚１７，１７の先端には、支持板２５が固定されている。この支持板２５には、左右方向に幅広の固定部２５ａ，２５ａが設けられ、この固定部２５ａ，２５ａがそれぞれ進退脚１７，１７に固定されている。またそれよりも後方は幅細部２５ｂとなっており、この幅細部２５ｂが前記開口部１３から収納部１１の収納空間１２内に収納可能となっている。
【００２９】
前記支持板２５には支持軸２６が設けられている。前記支持板２５の上には表示部材２７が重ねられて設置される。この表示部材２７は長方形状であり、短辺２７ａ，２７ｂと長辺２７ｃ，２７ｄを有している。表示部材２７内にはカラー液晶ディスプレイなどの平面型ディスプレイが設けられている。このディスプレイの画面２８は短辺２８ａ，２８ｂおよび長辺２８ｃ，２８ｄを有する長方形状である。
【００３０】
表示部材２７の背部には軸穴２９が開口しており、この軸穴２９が前記支持板２５の支持軸２６に装着されて、支持板２５に対して表示部材２７を少なくとも９０度の範囲で回動できるようになっている。また、図示省略するが、前記支持軸２６と軸穴２９との間には、長辺２７ｃ，２７ｄと進退脚１７とが平行な向きで表示部材２７を弾性的に軽くロックし、また長辺２７ｃ，２７ｄが進退脚１７と直交する向きとなったときに表示部材２７を弾性的に軽くロックするロック手段が設けられている。
【００３１】
図５に示すように、前記支持脚１５の回動脚１６の内部空間と、進退脚１７の内部空間にフレキシブルな配線材３１が挿入されている。この配線材３１は、フレキシブルプリント配線ケーブル、帯状の被覆導線（フラットケーブル）、被覆導線の束などである。配線材３１の先端部は、前記進退脚１７の先部に延び、図４に示すように、進退脚１７の内部から支持板２５の内部に延び、さらに前記支持軸２６の中心を通って、前記表示部材２７内のディスプレイに接続されている。
【００３２】
図５に示すように、回動脚１６の基端部には、進退脚１７の進退動作に追従できるように、配線材３１の撓み部３１ａを許容する空間１６ｂが形成されている。さらに前記配線材３１は、軸２１の穴２１ａ内を通過して収納部１１の内部に延びている。
【００３３】
前記収納部１１の内部では、前記軸２１に回動基板３５が固定されており、この回動基板３５には一対の電極３６，３６が設けられている。前記配線材３１のうちの電源ライン３１ｂ，３１ｂはそれぞれの電極３６，３６に接続されている。収納部１１内では前記回動基板３５に対向する固定基板３７が固定されて設けられており、この固定基板３７には電源電極３８，３８が前記回動基板３５に対向して設けられており、それぞれの電源電極３８，３８は、図示しない電源回路に接続されている。前記回動基板３５と固定基板３７とにより、電源のＯＮ−ＯＦＦの切換えを行う切換え手段が構成されている。
【００３４】
また配線材３１のうちの電源ライン以外の信号伝達ライン３１ｃは、前記切換え手段に接続されることなく、収納部１１内に延び、さらにアンテナ線やその他の映像信号の供給回路に接続されている。
【００３５】
次に前記車載用表示装置の動作を説明する。
図４に示すように、前記表示部材２７の短辺２７ａ，２７ｂの幅寸法Ｗ１と、支持板２５の幅細部２５ｂの幅寸法Ｗ２はほぼ同一であり、両幅寸法Ｗ１，Ｗ２は、収納部１１の前記開口部１３の開口幅寸法よりもわずかに小さくなっている。表示部材２７を収納するときには、図４に示すように、支持脚１７を水平姿勢に回動させた状態で、表示部材２７の長辺２７ｃ，２７ｄを進退脚１７と平行となる向きにしておく。その姿勢で進退脚１７を回動脚１６内に差し込んで支持脚１５を収縮させると、図１に示すように、表示部材２７が収納部１１の収納空間１２内に収納される。
【００３６】
この収納状態では、図４に示す支持板２５の左右両側の固定部２５ａ，２５ａが、収納部１１の左右両側面１１ｂ，１１ｂの切欠部１４，１４内に位置し、よって表示部材２７の全体またはほぼ全体が収納部１１内に収納される。
【００３７】
表示部材２７を使用するときには、収納部１１内の表示部材２７を開口部１３からＸ１方向へ引き出す。このとき支持脚１５の進退脚１７が回動脚１６の内部からＸ１方向へ進出して支持脚１５が延びる。図２に示すように、支持脚１５が延びきったときに、表示部材２７が収納部１１の外へ完全に出る。この状態で、表示部材２７を持ち上げると、回動脚１６に設けられた軸２１を中心として支持脚１５が上方へ回動し、表示部材２７の画面２８が後部座席から目視可能な姿勢に設置される。
【００３８】
支持脚１５を図３の姿勢に回動させると、軸２１と共に回動基板３５が回動する。支持脚１５と回動基板３５がほぼ９０度回動すると、回動基板３５に設けられた電極３６，３６が、固定基板３７に設けられた電源電極３８，３８に接触し、電源ライン３１ｃが接続されて、表示部材２７に電力が与えられる。
【００３９】
なお、図２の状態または図３の状態で、表示部材２７を９０度回動させると、表示部材２７は、長辺２７ｃが上向きの横長状態で設置され、後部座席からワイド画面として目視可能となる。
【００４０】
なお、図に示す実施の形態では、支持脚１５が一対設けられているが、支持脚１５が１個だけ設けられ、この１個の支持脚１５に表示部材２７が支持されているものであってもよい。
【００４１】
【発明の効果】
以上のように本発明では、表示部材を収納部内に完全に収納でき、表示部材が露出しないため、車室内に突出物が形成されなくなる。よって、例えばアームレストの上に収納部を設置すると、表示部材が収納されている状態で、収納部をアームレストとして使用することができる。また、支持脚を伸ばすことで、表示部材を目視しやすい位置に設置できる。また支持脚に配線を設けることで、表示部材への配線構造を簡単にできる。
【図面の簡単な説明】
【図１】本発明の車載用表示装置の収納状態を示す斜視図、
【図２】前記車載用表示装置の収納部から表示部材を引き出した状態を示す斜視図、
【図３】表示部材を目視可能な姿勢に設置した状態を示す斜視図、
【図４】支持脚に表示部材が取付けられた状態を示す分解斜視図、
【図５】図１のＶ−Ｖ線の断面図、
【図６】図５のＶＩ−ＶＩ線の断面図、
【符号の説明】
１  アームレスト
１０  車載用表示装置
１１  収納部
１２  収納空間
１３  開口部
１５  支持脚
１６  回動脚
１７  進退脚
２１  軸
２２  軸受
２５  支持板
２７  表示部材
２８  画面
３１  配線材
３１ｂ  電源ライン
３５  回動基板
３７  固定基板
【図１】
0004082847.tif 000002
【図２】
0004082847.tif 000003
【図３】
0004082847.tif 000004
【図４】
0004082847.tif 000005
【図５】
0004082847.tif 000006
【図６】
0004082847.tif 000007